(57)【特許請求の範囲】
【請求項１】
複数の操作部材からの操作入力を受け付ける操作受付手段と、
画像記憶手段に記憶されている複数の画像と縮小画像記憶手段に記憶されている縮小画像であって前記複数の画像のそれぞれに対応する複数の縮小画像とについて、一覧画像表示領域および画像表示領域を含む表示領域において前記縮小画像記憶手段に記憶されている縮小画像のうちの少なくとも２つ以上の縮小画像を一覧画像として所定の順序で前記一覧画像表示領域に描画するとともに前記画像記憶手段に記憶されている画像のうちの少なくとも１つの画像を前記画像表示領域に描画し、前記操作部材からの操作入力に応じて移動するカーソルであって前記複数の操作部材のそれぞれに対応する複数のカーソルを前記操作部材毎に異なる表示態様で前記表示領域に描画する描画手段と、
前記一覧画像表示領域に含まれる複数の縮小画像を前記複数のカーソルのうちの何れかのカーソルを用いた移動操作に応じて移動させるように前記描画手段に描画させ、前記画像表示領域に含まれる画像を前記複数のカーソルのうちの何れかのカーソルを用いた移動操作に応じて移動させるように前記描画手段に描画させ、前記複数のカーソルのうちの何れかのカーソルを用いた所定操作が受け付けられた場合には前記一覧画像表示領域に含まれる縮小画像のうちの少なくとも１つの縮小画像と前記画像表示領域に含まれる画像のうちの少なくとも１つの画像とが対応する画像となるように前記描画手段に描画させる制御手段とを具備し、
前記制御手段は、前記画像表示領域に含まれる画像の上に前記カーソルが重ねて描画されている場合における当該カーソルの位置から前記一覧画像表示領域の位置までのドラッグ操作が前記所定操作として前記操作受付手段により受け付けられた場合には、前記一覧画像表示領域の所定の位置に当該ドラッグ操作がされた画像に対応する縮小画像を前記描画手段に描画させる
情報処理装置。
【請求項２】
前記画像記憶手段に記憶されている複数の画像に対応する縮小画像を生成する縮小画像生成手段をさらに具備し、
前記縮小画像記憶手段は、前記縮小画像生成手段により生成された縮小画像を記憶する請求項１記載の情報処理装置。
【請求項３】
前記制御手段は、前記一覧画像表示領域に含まれる縮小画像の上に前記カーソルが重ねて描画されている場合における当該カーソルの位置から前記画像表示領域の位置までのドラッグ操作が前記所定操作として前記操作受付手段により受け付けられた場合には、前記画像表示領域の所定の位置に当該ドラッグ操作がされた縮小画像に対応する画像を前記描画手段に描画させる
請求項１記載の情報処理装置。
【請求項４】
前記画像記憶手段と、
前記縮小画像記憶手段と
をさらに具備する請求項１記載の情報処理装置。
【請求項５】
前記表示領域は、複数のユーザのそれぞれに割り当てられている複数の領域であって、前記画像表示領域に含まれる画像のうち、前記複数のカーソルのうちの何れかのカーソルを用いた移動操作に応じて移動された画像に対応する縮小画像を格納して表示するための領域である画像格納領域を含み、
前記描画手段は、前記複数の画像格納領域のそれぞれに対応するように前記複数のカーソルの表示態様を変更して描画する
請求項１記載の情報処理装置。
【請求項６】
複数の操作部材からの操作入力を受け付ける操作受付手段と、
画像記憶手段に記憶されている複数の画像と縮小画像記憶手段に記憶されている縮小画像であって前記複数の画像のそれぞれに対応する複数の縮小画像とについて、一覧画像表示領域および画像表示領域を含む表示領域において前記縮小画像記憶手段に記憶されている縮小画像のうちの少なくとも２つ以上の縮小画像を一覧画像として所定の順序で前記一覧画像表示領域に描画するとともに前記画像記憶手段に記憶されている画像のうちの少なくとも１つの画像を前記画像表示領域に描画し、前記操作部材からの操作入力に応じて移動するカーソルであって前記複数の操作部材のそれぞれに対応する複数のカーソルを前記操作部材毎に異なる表示態様で前記表示領域に描画する描画手段と、
前記一覧画像表示領域に含まれる複数の縮小画像を前記複数のカーソルのうちの何れかのカーソルを用いた移動操作に応じて移動させるように前記描画手段に描画させ、前記画像表示領域に含まれる画像を前記複数のカーソルのうちの何れかのカーソルを用いた移動操作に応じて移動させるように前記描画手段に描画させ、前記複数のカーソルのうちの何れかのカーソルを用いた所定操作が受け付けられた場合には前記一覧画像表示領域に含まれる縮小画像のうちの少なくとも１つの縮小画像と前記画像表示領域に含まれる画像のうちの少なくとも１つの画像とが対応する画像となるように前記描画手段に描画させる制御手段と、
前記描画手段により描画された画像を表示する表示手段とを具備し、
前記制御手段は、前記画像表示領域に含まれる画像の上に前記カーソルが重ねて描画されている場合における当該カーソルの位置から前記一覧画像表示領域の位置までのドラッグ操作が前記所定操作として前記操作受付手段により受け付けられた場合には、前記一覧画像表示領域の所定の位置に当該ドラッグ操作がされた画像に対応する縮小画像を前記描画手段に描画させる
画像表示装置。
【請求項７】
複数の操作部材からの操作入力を受け付ける操作受付手順と、
画像記憶手段に記憶されている複数の画像と縮小画像記憶手段に記憶されている縮小画像であって前記複数の画像のそれぞれに対応する複数の縮小画像とについて、一覧画像表示領域および画像表示領域を含む表示領域において前記縮小画像記憶手段に記憶されている縮小画像のうちの少なくとも２つ以上の縮小画像を一覧画像として所定の順序で前記一覧画像表示領域に描画するとともに前記画像記憶手段に記憶されている画像のうちの少なくとも１つの画像を前記画像表示領域に描画し、前記操作部材からの操作入力に応じて移動するカーソルであって前記複数の操作部材のそれぞれに対応する複数のカーソルを前記操作部材毎に異なる表示態様で前記表示領域に描画する描画手順と、
前記一覧画像表示領域に含まれる複数の縮小画像を前記複数のカーソルのうちの何れかのカーソルを用いた移動操作に応じて移動させるように制御する第１制御手順と、
前記画像表示領域に含まれる画像を前記複数のカーソルのうちの何れかのカーソルを用いた移動操作に応じて移動させるように制御する第２制御手順と、
前記複数のカーソルのうちの何れかのカーソルを用いた所定操作が受け付けられた場合には前記一覧画像表示領域に含まれる縮小画像のうちの少なくとも１つの縮小画像と前記画像表示領域に含まれる画像のうちの少なくとも１つの画像とが対応する画像となるように制御する第３制御手順とを具備し、
前記第３制御手順は、前記画像表示領域に含まれる画像の上に前記カーソルが重ねて描画されている場合における当該カーソルの位置から前記一覧画像表示領域の位置までのドラッグ操作が前記所定操作として受け付けられた場合には、前記一覧画像表示領域の所定の位置に当該ドラッグ操作がされた画像に対応する縮小画像を描画させる
情報処理装置の制御方法。
【請求項８】
複数の操作部材からの操作入力を受け付ける操作受付手順と、
画像記憶手段に記憶されている複数の画像と縮小画像記憶手段に記憶されている縮小画像であって前記複数の画像のそれぞれに対応する複数の縮小画像とについて、一覧画像表示領域および画像表示領域を含む表示領域において前記縮小画像記憶手段に記憶されている縮小画像のうちの少なくとも２つ以上の縮小画像を一覧画像として所定の順序で前記一覧画像表示領域に描画するとともに前記画像記憶手段に記憶されている画像のうちの少なくとも１つの画像を前記画像表示領域に描画し、前記操作部材からの操作入力に応じて移動するカーソルであって前記複数の操作部材のそれぞれに対応する複数のカーソルを前記操作部材毎に異なる表示態様で前記表示領域に描画する描画手順と、
前記一覧画像表示領域に含まれる複数の縮小画像を前記複数のカーソルのうちの何れかのカーソルを用いた移動操作に応じて移動させるように制御する第１制御手順と、
前記画像表示領域に含まれる画像を前記複数のカーソルのうちの何れかのカーソルを用いた移動操作に応じて移動させるように制御する第２制御手順と、
前記複数のカーソルのうちの何れかのカーソルを用いた所定操作が受け付けられた場合には前記一覧画像表示領域に含まれる縮小画像のうちの少なくとも１つの縮小画像と前記画像表示領域に含まれる画像のうちの少なくとも１つの画像とが対応する画像となるように制御する第３制御手順とをコンピュータに実行させるプログラムであって、
前記第３制御手順は、前記画像表示領域に含まれる画像の上に前記カーソルが重ねて描画されている場合における当該カーソルの位置から前記一覧画像表示領域の位置までのドラッグ操作が前記所定操作として受け付けられた場合には、前記一覧画像表示領域の所定の位置に当該ドラッグ操作がされた画像に対応する縮小画像を描画させる
プログラム。
【発明の詳細な説明】
【技術分野】
【０００１】
本発明は、情報処理装置に関し、特に、マウス等のポインティングデバイスを用いて複数の表示画像を操作する情報処理装置、画像表示装置、および、これらにおける制御方法ならびに当該方法をコンピュータに実行させるプログラムに関する。
【背景技術】
【０００２】
従来、一般家庭においてパーソナルコンピュータ等の情報処理装置が広く普及している。これらの情報処理装置は、主に１人で操作されることが多いため、１人の操作を前提にキーボードやマウス等の操作受付部やアプリケーション等が構成されている場合が多い。
【０００３】
また、一般家庭においては、家族みんなが使用することができるように、リビング用のパーソナルコンピュータ（いわゆる、リビングＰＣ（Personal Computer））やインターネットテレビ等の情報処理装置がリビングルームに設置される場合が増えつつある。このため、一般家庭のリビングルームにおいて用いられるリビングＰＣやインターネットテレビ等の情報処理装置が提案されている。
【０００４】
また、一般家庭のリビングルームにおいて大画面で映像を楽しむために、大画面のディスプレイを表示部として備える情報処理装置が提案されている。
【０００５】
例えば、リビングルームにおいて、これらの情報処理装置を用いて、デジタルスチルカメラ等の撮像装置で撮影された撮影画像を家族みんなで観賞することが考えられる。また、例えば、これらの複数の情報処理装置をネットワークを介して接続し、この接続されている各情報処理装置の表示部において、多数の人が同一の画面で撮影画像等を観賞することが考えられる。このように、一般家庭内や複数の場所において、多数の人が同一の画面で撮影画像等を観賞することができるため、表示部に表示される各画像を多数の人にとって見易くさせるための技術が提案されている。
【０００６】
例えば、１つの画像が表示部に全画面表示されている状態からインデックス画像表示に表示切替操作が行われた場合には、表示部において直前まで表示されていた画像やこの画像に近い画像の縮小画像から優先的に表示させる画像表示装置が提案されている（例えば、特許文献１参照。）。
【特許文献１】特開２００１−２３１００５号公報（図１）
【発明の開示】
【発明が解決しようとする課題】
【０００７】
上述の従来技術によれば、全画面表示からインデックス画像表示に表示切替操作が行われた場合には、所定の縮小画像を優先的に表示させるため、表示切替後において表示される縮小画像を多数の人が認識し易い。
【０００８】
ここで、主に１人で操作されることを前提に構成されている情報処理装置を用いて、例えば、リビングルームにおいて、デジタルスチルカメラ等の撮像装置で撮影された複数の撮影画像を家族みんなで観賞する場合について考える。この場合には、例えば、家族の代表者（例えば、お父さん）がマウス等を操作して表示部に表示される画像を順次操作していくことが考えられる。
【０００９】
このように、家族みんなで観賞する場合において、家族の代表者が操作をする場合には、操作者の好みが優先され、操作者以外の人の好みは、口頭で操作者に伝えられて操作に反映される程度になることが多い。このような場合には、操作者以外の人の好みが操作に反映されにくくなり、操作者以外の人の観賞に対する興味を低減させてしまうことがある。
【００１０】
そこで、各個人の好みに応じて、表示部に表示される画像を操作することができれば、さらに楽しく観賞することができると考えられる。また、表示部に表示される画像について多数の人で操作する場合においては、操作対象となる画像が操作者や鑑賞者に見易く表示されることが重要である。
【００１１】
そこで、本発明は、複数の画像が表示される場合にこれらの各画像を多数の人にとって見易くなるように表示させることを目的とする。
【課題を解決するための手段】
【００１２】
本発明は、上記課題を解決するためになされたものであり、その第１の側面は、複数の操作部材からの操作入力を受け付ける操作受付手段と、画像記憶手段に記憶されている複数の画像と縮小画像記憶手段に記憶されている縮小画像であって上記複数の画像のそれぞれに対応する複数の縮小画像とについて、一覧画像表示領域および画像表示領域を含む表示領域において上記縮小画像記憶手段に記憶されている縮小画像のうちの少なくとも２つ以上の縮小画像を一覧画像として所定の順序で上記一覧画像表示領域に描画するとともに上記画像記憶手段に記憶されている画像のうちの少なくとも１つの画像を上記画像表示領域に描画し、上記操作部材からの操作入力に応じて移動するカーソルであって上記複数の操作部材のそれぞれに対応する複数のカーソルを上記操作部材毎に異なる表示態様で上記表示領域に描画する描画手段と、上記一覧画像表示領域に含まれる複数の縮小画像を上記複数のカーソルのうちの何れかのカーソルを用いた移動操作に応じて移動させるように上記描画手段に描画させ、上記画像表示領域に含まれる画像を上記複数のカーソルのうちの何れかのカーソルを用いた移動操作に応じて移動させるように上記描画手段に描画させ、上記複数のカーソルのうちの何れかのカーソルを用いた所定操作が受け付けられた場合には上記一覧画像表示領域に含まれる縮小画像のうちの少なくとも１つの縮小画像と上記画像表示領域に含まれる画像のうちの少なくとも１つの画像とが対応する画像となるように上記描画手段に描画させる制御手段とを具備し、上記制御手段は、上記画像表示領域に含まれる画像の上に上記カーソルが重ねて描画されている場合における当該カーソルの位置から上記一覧画像表示領域の位置までのドラッグ操作が上記所定操作として上記操作受付手段により受け付けられた場合には、上記一覧画像表示領域の所定の位置に当該ドラッグ操作がされた画像に対応する縮小画像を上記描画手段に描画させる情報処理装置およびその制御方法ならびに当該方法をコンピュータに実行させるプログラムである。これにより、複数の画像のうちの少なくとも１つの画像を所定の順序で画像表示領域に描画するとともに、その複数の画像に対応する縮小画像のうちの少なくとも２つ以上の縮小画像を一覧画像として所定の順序で一覧画像表示領域に描画して、所定の操作入力が受け付けられた場合には、一覧画像表示領域に含まれる縮小画像のうちの少なくとも１つの縮小画像と画像表示領域に含まれる画像のうちの少なくとも１つの画像とが対応する画像となるように描画させ、画像表示領域に含まれる画像の上にカーソルが重ねて描画されている場合におけるそのカーソルの位置から一覧画像表示領域の位置までのドラッグ操作が受け付けられた場合には、一覧画像表示領域の所定の位置にそのドラッグ操作がされた画像に対応する縮小画像を描画させるという作用をもたらす。
【００１３】
また、この第１の側面において、上記画像記憶手段に記憶されている複数の画像に対応する縮小画像を生成する縮小画像生成手段をさらに具備し、上記縮小画像記憶手段は、上記縮小画像生成手段により生成された縮小画像を記憶することができる。これにより、画像記憶手段に記憶されている複数の画像に対応する縮小画像を生成して、生成された縮小画像を縮小画像記憶手段に記憶するという作用をもたらす。
【００１５】
また、この第１の側面において、上記制御手段は、上記一覧画像表示領域に含まれる縮小画像の上に上記カーソルが重ねて描画されている場合における当該カーソルの位置から上記画像表示領域の位置までのドラッグ操作が上記所定操作として上記操作受付手段により受け付けられた場合には、上記画像表示領域の所定の位置に当該ドラッグ操作がされた縮小画像に対応する画像を上記描画手段に描画させることができる。これにより、操作入力に応じて移動するカーソルを表示領域に描画して、一覧画像表示領域に含まれる縮小画像の上にカーソルが重ねて描画されている場合において、当該カーソルの位置から画像表示領域の位置までのドラッグ操作が受け付けられた場合には、当該画像表示領域の所定の位置に当該縮小画像に対応する画像を描画させるという作用をもたらす。
【００１６】
また、この第１の側面において、上記画像記憶手段と、上記縮小画像記憶手段とをさらに具備することができる。これにより、画像記憶手段に記憶されている画像および縮小画像記憶手段に記憶されている縮小画像を用いるという作用をもたらす。
【００１７】
また、この第１の側面において、上記表示領域は、複数のユーザのそれぞれに割り当てられている複数の領域であって、上記画像表示領域に含まれる画像のうち、上記複数のカーソルのうちの何れかのカーソルを用いた移動操作に応じて移動された画像に対応する縮小画像を格納して表示するための領域である画像格納領域を含み、上記描画手段は、上記複数の画像格納領域のそれぞれに対応するように上記複数のカーソルの表示態様を変更して描画することができる。これにより、複数の画像格納領域のそれぞれに対応するように、複数のカーソルの表示態様を変更して描画するという作用をもたらす。
【００１９】
また、本発明の第２の側面は、複数の操作部材からの操作入力を受け付ける操作受付手段と、画像記憶手段に記憶されている複数の画像と縮小画像記憶手段に記憶されている縮小画像であって上記複数の画像のそれぞれに対応する複数の縮小画像とについて、一覧画像表示領域および画像表示領域を含む表示領域において上記縮小画像記憶手段に記憶されている縮小画像のうちの少なくとも２つ以上の縮小画像を一覧画像として所定の順序で上記一覧画像表示領域に描画するとともに上記画像記憶手段に記憶されている画像のうちの少なくとも１つの画像を上記画像表示領域に描画し、上記操作部材からの操作入力に応じて移動するカーソルであって上記複数の操作部材のそれぞれに対応する複数のカーソルを上記操作部材毎に異なる表示態様で上記表示領域に描画する描画手段と、上記一覧画像表示領域に含まれる複数の縮小画像を上記複数のカーソルのうちの何れかのカーソルを用いた移動操作に応じて移動させるように上記描画手段に描画させ、上記画像表示領域に含まれる画像を上記複数のカーソルのうちの何れかのカーソルを用いた移動操作に応じて移動させるように上記描画手段に描画させ、上記複数のカーソルのうちの何れかのカーソルを用いた所定操作が受け付けられた場合には上記一覧画像表示領域に含まれる縮小画像のうちの少なくとも１つの縮小画像と上記画像表示領域に含まれる画像のうちの少なくとも１つの画像とが対応する画像となるように上記描画手段に描画させる制御手段と、上記描画手段により描画された画像を表示する表示手段とを具備し、上記制御手段は、上記画像表示領域に含まれる画像の上に上記カーソルが重ねて描画されている場合における当該カーソルの位置から上記一覧画像表示領域の位置までのドラッグ操作が上記所定操作として上記操作受付手段により受け付けられた場合には、上記一覧画像表示領域の所定の位置に当該ドラッグ操作がされた画像に対応する縮小画像を上記描画手段に描画させる画像表示装置およびその制御方法ならびに当該方法をコンピュータに実行させるプログラムである。これにより、複数の画像のうちの少なくとも１つの画像を所定の順序で画像表示領域に描画するとともに、その複数の画像に対応する縮小画像のうちの少なくとも２つ以上の縮小画像を一覧画像として所定の順序で一覧画像表示領域に描画して、所定の操作入力が受け付けられた場合には、一覧画像表示領域に含まれる縮小画像のうちの少なくとも１つの縮小画像と画像表示領域に含まれる画像のうちの少なくとも１つの画像とが対応する画像となるように描画させ、画像表示領域に含まれる画像の上にカーソルが重ねて描画されている場合におけるそのカーソルの位置から一覧画像表示領域の位置までのドラッグ操作が受け付けられた場合には、一覧画像表示領域の所定の位置にそのドラッグ操作がされた画像に対応する縮小画像を描画させ、描画された画像を表示するという作用をもたらす。
【発明の効果】
【００２０】
本発明によれば、複数の画像が表示される場合にこれらの各画像を多数の人にとって見易くなるように表示させることができるという優れた効果を奏し得る。
【発明を実施するための最良の形態】
【００２１】
次に本発明の実施の形態について図面を参照して詳細に説明する。
【００２２】
図１は、本発明の実施の形態における情報処理装置１００の機能構成例を示すブロック図である。この情報処理装置１００は、例えば、専用の表示部を備えるパーソナルコンピュータである。この情報処理装置１００は、ＣＰＵ（Central Processing Unit）１１０と、ＲＯＭ（Read Only Memory）１２０と、ＲＡＭ（Random Access Memory）１３０と、ＨＤＤ（Hard Disk Drive）１４０と、表示部１５０と、操作受付部１６０と、音声出力部１７０とを備える。また、各ブロック間における各信号のやりとりは、バス１８０を介して行われる。
【００２３】
ＣＰＵ１１０は、ＲＯＭ１２０に記憶されている各種制御プログラムに基づいて、情報処理装置１００の各部を制御するものである。また、ＣＰＵ１１０は、ＨＤＤ１４０から読み出された各種情報や操作受付部１６０により受け付けられた操作入力等に基づいて情報処理装置１００の各部を制御する。
【００２４】
ＲＯＭ１２０は、読み出し専用のメモリであり、各種制御プログラム等を記憶するものである。
【００２５】
ＲＡＭ１３０は、ＣＰＵ１１０のメインメモリ（主記憶装置）に用いられるメモリであり、ＣＰＵ１１０において実行されるプログラムの作業領域等を記憶するものである。
【００２６】
ＨＤＤ１４０は、各種アプリケーションプログラム等が格納されているハードディスクである。また、ＨＤＤ１４０には、撮像装置で撮影された画像に対応する画像データが格納されるとともに、これらの画像データの管理情報等が格納される。この管理情報には、各画像データの属性情報や各画像に対応するサムネイル画像等が含まれる。
【００２７】
表示部１５０は、ＣＰＵ１１０の制御に基づいて各種情報を表示する表示部である。表示部１５０としては、例えば、ＬＣＤ（Liquid Crystal Display）等のディスプレイを用いることができる。
【００２８】
操作受付部１６０は、各種入力キーからなるキーボードやマウス（ポインティングデバイス）を備え、これらのマウス等から操作入力を受け付けると、受け付けた操作入力の内容をＣＰＵ１１０に出力するものである。なお、操作受付部１６０の少なくとも一部と表示部１５０とをタッチパネルとして一体として構成するようにしてもよい。また、情報処理装置１００本体とマウスとを有線で接続するようにしてもよく、無線で接続するようにしてもよい。
【００２９】
なお、本発明の実施の形態では、操作受付部１６０において、主にマウスを用いて操作する場合について説明する。本発明の実施の形態で用いるマウスは、例えば、少なくとも左右２つのボタンと、この２つのボタンの間に配置されるホイールとを有するマウスである。また、情報処理装置１００は、これらのマウスを複数接続することが可能であり、各マウスの操作に応じて各種制御を実行する。なお、本実施の形態では、操作受付部１６０が５つのマウス１６１乃至１６５を備える場合について説明する。
【００３０】
表示部１５０に表示される画面上には、各マウスの動きに応じて移動するカーソル（マウスポインタ）が表示される。カーソルは、表示部１５０に表示される画面上において、指示や操作の対象を指し示すために用いられるマウスポインタである。本実施の形態では、複数のユーザが自己のカーソルを判別し易いように、各ユーザのイメージをデザイン化した顔画像をカーソルとして用いている。カーソルについては、図面を参照して説明する。
【００３１】
ここで、マウスの操作について説明する。「ポイント」とは、カーソルで対象を指し示すことを意味する。「左クリック」とは、マウスの左側ボタンを１回だけ押すことを意味し、「右クリック」とは、マウスの右側ボタンを１回だけ押すことを意味する。「ダブルクリック」とは、マウスの左側ボタンを連続で２回押すことを意味する。「中ボタンクリック」とは、マウスのホイールを１回だけ押すことを意味する。「左ドラッグ」とは、マウスの左側ボタンを押し続けながらマウスを移動することを意味し、「右ドラッグ」とは、マウスの右側ボタンを押し続けながらマウスを移動することを意味し、「中ドラッグ」とは、マウスのホイールを押し続けながらマウスを移動することを意味する。「ドロップ」とは、ドラッグ後にボタンを離し、ドラッグ中の対象を移動等させることを意味する。
【００３２】
音声出力部１７０は、ＣＰＵ１１０の制御に基づいて各種音声情報を出力するスピーカである。
【００３３】
なお、情報処理装置１００に情報出力部を設け、表示部１５０に表示される画像に対応する画像情報を情報出力部から出力させ、他の画像表示装置において表示部１５０に表示される画像と同じ画像を表示させるようにしてもよい。
【００３４】
図２は、本発明の実施の形態における情報処理装置１００の描画制御に関する機能構成例を示すブロック図である。この情報処理装置１００は、操作受付部２１０と、画像記憶部２２０と、縮小画像生成部２３０と、縮小画像記憶部２４０と、描画部２５０と、制御部２６０と、表示部２７０とを備える。
【００３５】
操作受付部２１０は、ユーザからの操作入力を受け付けるものであり、受け付けた操作内容を制御部２６０に出力するものである。例えば、ポインティングデバイスであるマウスの操作に応じて操作入力が受け付けられる。なお、操作受付部２１０は、図１に示す操作受付部１６０に対応する。
【００３６】
画像記憶部２２０は、各種の画像を記憶する記憶部であり、記憶されている画像を縮小画像生成部２３０および描画部２５０に出力する。画像記憶部２２０は、例えば、図３乃至図９に表示される各画像を記憶する。
【００３７】
縮小画像生成部２３０は、画像記憶部２２０に記憶されている画像に対応する縮小画像を生成するものであり、生成された縮小画像を縮小画像記憶部２４０に出力する。
【００３８】
縮小画像記憶部２４０は、縮小画像生成部２３０により生成された縮小画像を記憶するものであり、記憶されている縮小画像を描画部２５０に出力する。
【００３９】
描画部２５０は、画像記憶部２２０に記憶されている画像、および縮小画像記憶部２４０に記憶されている縮小画像を、表示部２７０に表示させる表示画像として描画するものである。例えば、少なくとも一覧画像表示領域および画像表示領域を含む表示領域において縮小画像記憶部２４０に記憶されている縮小画像のうちの少なくとも２つ以上の縮小画像を一覧画像として所定の順序で一覧画像表示領域に描画するとともに画像記憶部２２０に記憶されている画像のうちの少なくとも１つの画像を所定の順序で画像表示領域に描画する。また、操作受付部２１０により受け付けられた操作入力に応じて移動するカーソルを表示領域に描画する。
【００４０】
制御部２６０は、操作受付部２１０から受け取った操作内容に応じて描画部２５０を制御するものである。例えば、制御部２６０は、画像表示領域に含まれる画像の上にカーソルが重ねて描画されている場合において当該カーソルの位置から一覧画像表示領域の位置までのドラッグ操作が操作受付部２１０により受け付けられた場合には当該一覧画像表示領域の所定の位置に当該画像に対応する一覧画像を描画部２５０に描画させる制御を実行する。また、制御部２６０は、一覧画像表示領域に含まれる一覧画像の上にカーソルが重ねて描画されている場合において当該カーソルの位置から画像表示領域の位置までのドラッグ操作が操作受付部２１０により受け付けられた場合には当該画像表示領域の所定の位置に当該一覧画像に対応する画像を描画部２５０に描画させる制御を実行する。また、制御部２６０は、操作受付部２１０により受け付けられた操作入力に応じて、一覧画像表示領域に含まれる一覧画像、または画像表示領域に含まれる画像を移動させるように描画部２５０に描画させる制御を実行する。
【００４１】
表示部２７０は、描画部２５０によって描画された内容を表示するものである。なお、表示部２７０は、図１に示す表示部１５０に対応する。
【００４２】
図３は、表示部１５０に表示される表示画面の一例である表示画面３００を示す図である。
【００４３】
表示画面３００は、本発明の実施の形態における基本的な画面構成を示す表示画面である。表示画面３００には、スライドパネル（メイン領域）３１０と、棚パネル（サムネイル領域）３２０と、引き出しパネル（引き出し領域）３３０とが設けられている。また、表示画面３００には、情報処理装置１００に備えられるマウスのうちで、実際に使用されている５つのマウスに対応するカーソル３０１乃至３０５が表示されている。なお、本実施の形態では、父、母、娘、息子の４人家族とお客との５人が５個のマウスを操作する場合について説明する。この場合に、各カーソルは、操作する人をイメージした画像表示とする。具体的には、各カーソルを父、母、娘、息子、一般人をイメージした画像とし、各顔画像の髪の色を、引き出しパネル３３０における第１取っ手部３３６乃至第４取っ手部３３９の色に対応させる。これにより、ユーザが自己のカーソルと自己の引き出し部とを容易に認識することができる。
【００４４】
スライドパネル３１０は、表示画面３００におけるメイン領域であり、ＨＤＤ１４０に格納されている画像データに対応する各画像を上下方向に移動可能に表示する領域である。なお、これらの画像データは、棚パネル３２０に表示される各サムネイル画像に対応する画像であり、例えば、所定のフォルダに格納されている複数の画像である。例えば、スライドパネル３１０には、画像３１１乃至３１３と、お気に入りマーク３１４と、スタンプ３１５とが表示されている。画像３１１乃至３１３は、例えば、デジタルスチルカメラ等の撮像装置で撮影された撮影画像である。画像３１２については、各マウスのうちの１つのマウスを用いて画像３１２上にカーソルを重ね合わせた状態で上下方向の下側に左ドラッグすることによって、画像３１２をスライドパネル３１０の真中部分に表示させることができる。このように、スライドパネル３１０の真中部分に画像３１２が表示された場合には、画像３１２の下側に画像３１１の上部分が表示される。また、画像３１３については、各マウスのうちの１つのマウスを用いて画像３１３上にカーソルを重ね合わせた状態で上下方向の上側に左ドラッグすることによって、画像３１３をスライドパネル３１０の真中部分に表示させることができる。このように、スライドパネル３１０の真中部分に画像３１３が表示された場合には、画像３１３の上側に画像３１１の下部分が表示される。
【００４５】
お気に入りマーク３１４は、スライドパネル３１０に表示される画像の左上部分に表示される星型画像であり、この星型画像の部分にカーソルを重ね合わせた状態で左クリックをすると、お気に入りマーク３１４のうちの１つの星型画像の色が変化するとともに、お気に入りマーク３１４の下に表示されている画像に対応するサムネイル画像がお気に入り引き出し部３３５に格納される。
【００４６】
スタンプ３１５は、スライドパネル３１０に表示される画像が、第１引き出し部３３１乃至第４引き出し部３３４の何れかの引き出し部に格納されているサムネイル画像に対応する画像である場合に当該画像の左下部分に表示されるものである。なお、スライドパネル３１０に表示される各画像は、第１引き出し部３３１乃至第４引き出し部３３４のうちの１つまたは複数の引き出し部に格納可能である。これにより、スタンプ３１５は、画像が格納されている第１引き出し部３３１乃至第４引き出し部３３４に応じた数が表示される。また、このスタンプ３１５には、画像が格納されている引き出し部に対応する第１取っ手部３３６乃至第４取っ手部３３９に応じた色が付される。
【００４７】
棚パネル３２０は、スライドパネル３１０に順次表示される画像に対応するサムネイル画像が一覧表示されるサムネイル領域である。棚パネル３２０の表示領域には、例えば、図３に示すように、複数のサムネイル画像のうちのサムネイル画像３２１乃至３２５が表示される。また、棚パネル３２０には、右側取っ手部３２６と、上側取っ手部３２７と、下側取っ手部３２８とが設けられている。
【００４８】
右側取っ手部３２６は、この部分にカーソルを重ね合わせた状態で左ドラッグされると、ドラッグされた距離に応じて左右方向に移動して左右方向における棚パネル３２０の領域を拡大または縮小させるものである。また、この場合には、棚パネル３２０の領域の拡大または縮小に合わせるように、スライドパネル３１０に表示されている各画像が拡大または縮小されて表示される。
【００４９】
上側取っ手部３２７は、この部分にカーソルを重ね合わせた状態で上下方向の下側に左ドラッグされると、棚パネル３２０に表示されているサムネイル画像を上下方向の下側にスライドさせて棚パネル３２０に表示されるサムネイル画像を切り換えるものである。また、同様に、下側取っ手部３２８は、この部分にカーソルを重ね合わせた状態で上下方向の上側に左ドラッグされると、棚パネル３２０に表示されているサムネイル画像を上下方向の上側にスライドさせて棚パネル３２０に表示されるサムネイル画像を切り換えるものである。
【００５０】
引き出しパネル３３０は、スライドパネル３１０または棚パネル３２０に表示される画像をユーザの好みに応じて格納するための引き出し領域である。引き出しパネル３３０には、第１引き出し部３３１乃至第４引き出し部３３４およびお気に入り引き出し部３３５と、第１取っ手部３３６乃至第５取っ手部３４０と、全体取っ手部３４１とが設けられている。
【００５１】
第１引き出し部３３１乃至第４引き出し部３３４およびお気に入り引き出し部３３５は、各マウスの操作に応じてスライドパネル３１０または棚パネル３２０に表示されている各画像を出し入れすることができる領域である。
【００５２】
第１取っ手部３３６乃至第５取っ手部３４０は、この部分にカーソルを重ね合わせた状態で左ドラッグされると、ドラッグされた距離に応じて左右方向に移動して、それぞれ対応する第１引き出し部３３１乃至第４引き出し部３３４およびお気に入り引き出し部３３５の左右方向における領域を拡大または縮小させるものである。
【００５３】
全体取っ手部３４１は、この部分にカーソルを重ね合わせた状態で左ドラッグされると、ドラッグされた距離に応じて左右方向に移動して、第１引き出し部３３１乃至第４引き出し部３３４およびお気に入り引き出し部３３５のうちで全体取っ手部３４１よりも右側に位置する引き出し部の左右方向における領域を拡大または縮小させるものである。
【００５４】
ここで、棚パネル３２０に表示されるサムネイル画像について図４および図５を参照して説明する。なお、以下で示す棚パネル３２０等の各符号については、図３で示したものと同じものには同一の符号を付して説明する。
【００５５】
図４（ａ）は、表示部１５０に表示される表示画面の一例である表示画面３００ａを示す図である。また、図４（ｂ）は、棚パネル３２０におけるサムネイル画像１乃至１０を上側にスライドさせた後に棚パネル３２０に表示されるサムネイル画像１１乃至２０を示す図である。また、図５は、棚パネル３２０の領域を表示画面３００ａの右端まで拡大させた後における表示画面３００ｂを示す図である。なお、表示画面３００ｂにおける棚パネル３２０にはサムネイル画像１乃至４０が表示されている。
【００５６】
例えば、図４（ａ）に示すように、表示部１５０に表示画面３００ａが表示されている場合において、棚パネル３２０にはサムネイル画像１乃至１０が表示されているとする。この場合において、右側取っ手部３２６にカーソルを重ね合わせた状態で左右方向の右側に所定の距離だけ左ドラッグすると、棚パネル３２０におけるサムネイル画像６乃至１０の右側の領域には図４（ｂ）に示すサムネイル画像１１乃至１５が表示される。さらに続けて所定の距離だけ左ドラッグすると、棚パネル３２０におけるサムネイル画像６乃至１０の右側の領域には図４（ｂ）に示すサムネイル画像１１乃至２０が表示される。
【００５７】
また、右側取っ手部３２６にカーソルを重ね合わせた状態で表示画面３００ａの右端まで左ドラッグすると、図５に示すように、棚パネル３２０の領域が拡大されて表示画面のほぼ全体が棚パネル３２０となり、棚パネル３２０にはサムネイル画像１乃至４０が表示される。
【００５８】
また、下側取っ手部３２８にカーソルを重ね合わせた状態で上下方向の上側に所定の距離だけ左ドラッグすると、サムネイル画像１乃至１０が上側にスライドしていき、棚パネル３２０には図４（ｂ）に示すサムネイル画像１１乃至２０が表示される。
【００５９】
例えば、棚パネル３２０にサムネイル画像１乃至５が表示されている場合において、下側取っ手部３２８にカーソルを重ね合わせた状態で上下方向の上側に所定の距離だけドラッグすると、サムネイル画像１乃至５が上側にスライドしていき、棚パネル３２０にはサムネイル画像６乃至１０が表示される。このように、下側取っ手部３２８を用いることによって、図５に示すサムネイル画像１乃至４０について、表示領域が右側にスライドされるように、各サムネイル画像を棚パネル３２０に順次表示させることができる。一方、上側取っ手部３２７を用いた場合には、図５に示すサムネイル画像１乃至４０について、表示領域が左側にスライドされるように、各サムネイル画像を棚パネル３２０に順次表示させることができる。
【００６０】
次に、スライドパネル３１０に表示されている各画像をスライドする場合における操作について図面を参照して説明する。
【００６１】
図６は、表示部１５０に表示される表示画面の一例である表示画面３５０を示す図である。また、図７は、表示部１５０に表示される表示画面の一例である表示画面３５５を示す図である。
【００６２】
表示画面３５０は、棚パネル３２０の右側取っ手部３２６を左端にスライドさせ、引き出しパネル３３０の全体取っ手部３４１を右端にスライドさせた場合における表示画面である。表示画面３５０におけるスライドパネル３１０には画像３５１乃至３５３が表示されている。この場合において、例えば、画像３５３の表示部分に母カーソル３０３を重ね合わせた状態で上下方向の上側に左ドラッグをすると、この左ドラッグ操作が所定の距離になるまでは画像３５３のみが上下方向の上側にスライドする。さらに続けて所定の距離だけ左ドラッグをすると、画像３５１乃至３５３が上下方向の上側にスライドして、画像３５３全体をスライドパネル３１０に表示させることができる。また、同様に、画像３５２の表示部分にカーソルを重ね合わせた状態で上下方向の下側に所定の距離だけ左ドラッグをすると、画像３５１乃至３５３を上下方向の下側にスライドさせることができる。
【００６３】
また、同様に、図７を用いて説明すると、例えば、図７（ａ）に示す表示画面３５５において、画像３５７の表示部分に母カーソル３０３を重ね合わせた状態で上下方向の上側に所定の距離だけ左ドラッグをすると、画像３５６乃至３５８を上下方向の上側にスライドさせることができる。例えば、矢印３５４方向に左ドラッグすると、図７（ｂ）に示すように、表示画面３５５には画像３５６、３５７、３５９が表示される。
【００６４】
なお、スライドパネル３１０に表示される画像と、棚パネル３２０に表示されるサムネイル画像とは、それぞれ独立してスライドすることができる。このため、同一画面上にスライドパネル３１０に表示される画像と、この画像に対応するサムネイル画像とが同期して表示されない場合がある。
【００６５】
次に、スライドパネル３１０に表示されている画像に対応するサムネイル画像を棚パネル３２０に表示させる場合における操作について図面を参照して説明する。
【００６６】
図８は、表示部１５０に表示される表示画面の一例である表示画面３５５を示す図である。
【００６７】
図８に示す表示画面３５５において、例えば、スライドパネル３１０に表示されている画像３５７に対応するサムネイル画像を棚パネル３２０に表示させる場合には、画像３５７の表示部分に母カーソル３０３を重ね合わせた状態で左右方向の左側に棚パネル３２０の領域まで左ドラッグし、棚パネル３２０の領域でドロップする。例えば、矢印３５４ａ方向に左ドラッグする。この場合には、左ドラッグをしている途中では、図８（ａ）に示すように、母カーソル３０３とともに画像３５７に対応するサムネイル画像３５７ｓが表示される。そして、母カーソル３０３とともにサムネイル画像３５７ｓを棚パネル３２０の領域まで左ドラッグし、棚パネル３２０の領域でドロップすると、図８（ｂ）に示すように、棚パネル３２０には、画像３５７に対応するサムネイル画像３５７ｓを含む列のサムネイル画像が表示される。例えば、サムネイル画像３５７ｓの次には、スライドパネル３１０において画像３５７の次に表示されている画像３５９に対応するサムネイル画像３５９ｓが表示されている。これにより、例えば、スライドパネル３１０に表示される画像とこれに対応するサムネイル画像とを容易に同期させて表示させることができる。
【００６８】
次に、棚パネル３２０に表示されているサムネイル画像に対応する画像をスライドパネル３１０に表示させる場合における操作について図面を参照して説明する。
【００６９】
図９は、表示部１５０に表示される表示画面の一例である表示画面３７０を示す図である。なお、図９（ａ）に示す画像３７４は、図９（ａ）に示す棚パネル３２０に表示されているサムネイル画像を参照すると、所定のフォルダに格納されている画像の順番として１番目の画像であるため、スライドパネル３１０における上側に画像が表示されない。
【００７０】
図９に示す表示画面３７０に画像３７４および３７５が表示されている場合において、例えば、棚パネル３２０に表示されているサムネイル画像３７２ｓに対応する画像３７２をスライドパネル３１０に表示させる場合には、サムネイル画像３７２ｓの表示部分に母カーソル３０３を重ね合わせた状態で左右方向の右側にスライドパネル３１０の領域まで左ドラッグし、スライドパネル３１０の領域でドロップする。例えば、矢印３５４ｂ方向に左ドラッグする。この場合には、左ドラッグをしている途中では、図９（ａ）に示すように、母カーソル３０３とともにサムネイル画像３７２ｓが表示される。そして、母カーソル３０３とともにサムネイル画像３７２ｓをスライドパネル３１０の領域まで左ドラッグし、スライドパネル３１０の領域でドロップすると、図９（ｂ）に示すように、スライドパネル３１０には、サムネイル画像３７２ｓに対応する画像３７２が表示される。また、この場合には、サムネイル画像３７２ｓの前と後に配置されている画像が画像３７２の上側と下側に表示される。例えば、サムネイル画像３７２ｓの前に配置されていたサムネイル画像３７１ｓに対応する画像３７１が画像３７２の上側に表示される。これにより、例えば、スライドパネル３１０に表示される画像とこれに対応するサムネイル画像とを容易に同期させて表示させることができる。
【００７１】
図１０は、表示部１５０に表示される表示画面の一例であってマウスとカーソルとの対応付けに関する遷移を示す図である。図１０（ａ）は、図３で示した表示画面３００における引き出しパネル３３０側の一部を示す図である。
【００７２】
情報処理装置１００を使用する各ユーザには、引き出しパネル３３０の第１引き出し部３３１乃至第４引き出し部３３４のうちから通常使用する引き出し部が割り当てられている。そして、情報処理装置１００を各ユーザが使用する場合には、何れかのマウスを用いて表示部１５０に表示されている操作対象となるカーソルを見つけ、そのカーソルを自己の引き出し部の領域に重ね合わせる。そして、各ユーザがカーソルを自己の引き出し部の領域に重ね合わせた状態で、所定のキーを押下する。例えば、操作受付部１６０のキーボードにおける「Ｒ」キーを押下する。この押下によって各カーソルが、各ユーザに応じたカーソルに変更される。すなわち、引き出し部に対応するカーソルに変更される。
【００７３】
このように、本発明の実施の形態においては、情報処理装置１００を使用する毎に、１人のユーザに対して１つのマウスが割り当てられるものの、カーソル毎に専用のマウスを設定する必要はない。これは、上述したように、情報処理装置１００を使用する毎に、マウスとカーソルとを対応付けをしてから使用することができるからである。
【００７４】
次に、本発明の実施の形態における情報処理装置１００の動作について図面を参照して説明する。
【００７５】
図１１は、情報処理装置１００による描画制御の処理手順を示すフローチャートである。
【００７６】
最初に画像記憶部２２０から表示対象となる画像が取得される（ステップＳ９０１）。続いて、取得された画像に対応する縮小画像を縮小画像生成部２３０が生成する（ステップＳ９０２）。そして、生成された縮小画像が縮小画像記憶部２４０に記憶される。続いて、描画部２５０は、画像記憶部２２０に記憶されている画像をスライドパネル３１０の表示領域に描画するとともに、縮小画像記憶部２４０に記憶されている縮小画像を棚パネル３２０の表示領域に描画する（ステップＳ９０３）。続いて、描画部２５０によって描画された画像が表示部２７０に表示される（ステップＳ９０４）。
【００７７】
続いて、スライドパネル３１０の表示領域に表示されている画像について左ドラッグ操作がされているか否かが判断される（ステップＳ９０５）。スライドパネル３１０の表示領域に表示されている画像について左ドラッグ操作がされている場合には（ステップＳ９０５）、左ドラッグ操作がされているマウスの移動に応じて、左ドラッグ操作がされている画像に対応するサムネイル画像をカーソルとともに移動させる（ステップＳ９０８）。一方、スライドパネル３１０の表示領域に表示されている画像について左ドラッグ操作がされていない場合には（ステップＳ９０５）、スライドパネル３１０の表示領域に表示されている各画像の表示部分に何れかのカーソルが存在するか否かが判断される（ステップＳ９０６）。スライドパネル３１０の表示領域に表示されている各画像の表示部分に何れかのカーソルが存在する場合には（ステップＳ９０６）、そのカーソルに対応するマウスにより左ドラッグ操作が開始されたか否かが判断される（ステップＳ９０７）。マウスにより左ドラッグ操作が開始された場合には（ステップＳ９０７）、そのマウスの移動に応じて、カーソルが存在する画像に対応するサムネイル画像をカーソルとともに移動させる（ステップＳ９０８）。
【００７８】
続いて、その左ドラッグ操作により移動しているサムネイル画像について、棚パネル３２０の表示領域へのドロップ操作がされたか否かが判断される（ステップＳ９０９）。棚パネル３２０の表示領域へのドロップ操作がされた場合には（ステップＳ９０９）、そのドロップ操作がされたサムネイル画像を含むサムネイル画像の一列を棚パネル３２０の表示領域に描画部２５０が描画して（ステップＳ９１０）、描画部２５０によって描画された画像が表示部２７０に表示される（ステップＳ９０４）。
【００７９】
なお、棚パネル３２０の表示領域へのドロップ操作がされない場合には（ステップＳ９０９）、ステップＳ９１９に進み、マウスやキーボード等の操作内容に応じて画像が描画される。
【００８０】
また、スライドパネル３１０の表示領域に表示されている各画像の表示部分に何れかのカーソルが存在しない場合（ステップＳ９０６）、または、マウスにより左ドラッグ操作が開始されない場合には（ステップＳ９０７）、棚パネル３２０の表示領域に表示されている画像について左ドラッグ操作がされているか否かが判断される（ステップＳ９１１）。棚パネル３２０の表示領域に表示されている画像について左ドラッグ操作がされている場合には（ステップＳ９１１）、左ドラッグ操作がされているマウスの移動に応じて、左ドラッグ操作がされている画像に対応するサムネイル画像をカーソルとともに移動させる（ステップＳ９１４）。一方、棚パネル３２０の表示領域に表示されている画像について左ドラッグ操作がされていない場合には（ステップＳ９１１）、棚パネル３２０の表示領域に表示されている各画像の表示部分に何れかのカーソルが存在するか否かが判断される（ステップＳ９１２）。
【００８１】
棚パネル３２０の表示領域に表示されている各画像の表示部分に何れかのカーソルが存在する場合には（ステップＳ９１２）、そのカーソルに対応するマウスにより左ドラッグ操作が開始されたか否かが判断される（ステップＳ９１３）。マウスにより左ドラッグ操作が開始された場合には（ステップＳ９１３）、そのマウスの移動に応じて、カーソルが存在する画像に対応するサムネイル画像をカーソルとともに移動させる（ステップＳ９１４）。
【００８２】
続いて、その左ドラッグ操作により移動しているサムネイル画像について、スライドパネル３１０の表示領域へのドロップ操作がされたか否かが判断される（ステップＳ９１５）。スライドパネル３１０の表示領域へのドロップ操作がされた場合には（ステップＳ９１５）、そのドロップ操作がされたサムネイル画像に対応する画像をスライドパネル３１０の表示領域に描画部２５０が描画して（ステップＳ９１６）、描画部２５０によって描画された画像が表示部２７０に表示される（ステップＳ９０４）。
【００８３】
なお、スライドパネル３１０の表示領域へのドロップ操作がされない場合には（ステップＳ９１５）、ステップＳ９１９に進み、マウスやキーボード等の操作内容に応じて画像が描画される。
【００８４】
また、棚パネル３２０の表示領域に表示されている各画像の表示部分に何れかのカーソルが存在しない場合（ステップＳ９１２）、または、マウスにより左ドラッグ操作が開始されない場合には（ステップＳ９１３）、マウスやキーボード等により他の操作入力がされたか否かが判断される（ステップＳ９１７）。マウスやキーボード等により他の操作入力がされない場合には（ステップＳ９１７）、ステップＳ９２０に進み、操作入力を監視する（ステップＳ９２０、ステップＳ９４０、ステップＳ９０５乃至ステップＳ９１７）。マウスやキーボード等により他の操作入力がされた場合には（ステップＳ９１７）、その操作内容が終了指示であるか否かが判断される（ステップＳ９１８）。その操作内容が終了指示である場合には（ステップＳ９１８）、描画制御の処理手順の動作を終了する。
【００８５】
一方、その操作内容が終了指示でない場合には（ステップＳ９１８）、その操作内容に応じて画像が描画部２５０により描画され（ステップＳ９１９）、描画部２５０によって描画された画像が表示部２７０に表示される（ステップＳ９０４）。
【００８６】
以上で示したように、本発明の実施の形態によれば、例えば、共同スペースにおけるリビングにおいて、リビングと言う不特定多数の人が集まる場所に適した複数でのインタラクションのソフトウエアを提供することができる。
【００８７】
また、コンテンツを表示するメイン領域と、コンテンツのサムネイルを表示するサムネイル領域とを独立して閲覧可能とすることができる。このため、特に複数人で情報処理装置１００を用いて操作や閲覧をする場合には、メイン領域に表示されているコンテンツが他者によって次のコンテンツに変更されてしまった後でも、その進行の邪魔をせずに、サムネイル閲覧をすることができるとともに、サムネイル領域からの引き出し部への分類等を容易に行うことができる。
【００８８】
さらに、メイン領域とサムネイル領域との独立した動きをサポートするとともに、表示されているコンテンツをドラッグ操作することによって、メイン領域とサムネイル領域とのコンテンツ位置を容易にそろえることが可能であり、その場に応じたフレキシブルな操作を容易に行うことができる。
【００８９】
このように、本発明の実施の形態によれば、複数の画像が表示される場合にこれらの各画像を多数の人にとって見易くなるように表示させることができる。
【００９０】
なお、本発明の実施の形態では、情報処理装置１００について説明したが、ポインティングデバイス等の操作部材によって所定の操作が可能なテレビジョン等の画像表示装置に本発明の実施の形態を適用することができる。また、所定のネットワークを介して接続されている複数の情報処理装置の表示部において同一の画面を表示することが可能な情報処理システムであって、各表示部における画像を各情報処理装置から操作することが可能な情報処理システムに本発明の実施の形態を適用することができる。
【００９１】
また、本発明の実施の形態は本発明を具現化するための一例を示したものであり、特許請求の範囲における発明特定事項とそれぞれ対応関係を有するが、これに限定されるものではなく本発明の要旨を逸脱しない範囲において種々の変形を施すことができる。
【０１００】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【図面の簡単な説明】
【０１０１】
【図１】本発明の実施の形態における情報処理装置１００の機能構成例を示すブロック図である。
【図２】本発明の実施の形態における情報処理装置１００の描画制御に関する機能構成例を示すブロック図である。
【図３】表示部１５０に表示される表示画面の一例である表示画面３００を示す図である。
【図４】表示部１５０に表示される表示画面の一例を示す図である。
【図５】棚パネル３２０の領域を表示画面３００ａの右端まで拡大させた後における表示画面３００ｂを示す図である。
【図６】表示部１５０に表示される表示画面の一例である表示画面３５０を示す図である。
【図７】表示部１５０に表示される表示画面の一例である表示画面３５５を示す図である。
【図８】表示部１５０に表示される表示画面の一例である表示画面３５５を示す図である。
【図９】表示部１５０に表示される表示画面の一例である表示画面３７０を示す図である。
【図１０】表示部１５０に表示される表示画面の一例であってマウスとカーソルとの対応付けに関する遷移を示す図である。
【図１１】情報処理装置１００による描画制御の処理手順を示すフローチャートである。
【符号の説明】
【０１０２】
１００  情報処理装置
１１０  ＣＰＵ
１２０  ＲＯＭ
１３０  ＲＡＭ
１４０  ＨＤＤ
１５０  表示部
１６０  操作受付部
１７０  音声出力部
１８０  バス
２１０  操作受付部
２２０  画像記憶部
２３０  縮小画像生成部
２４０  縮小画像記憶部
２５０  描画部
２６０  制御部
２７０  表示部
３１０  スライドパネル
３２０  棚パネル
３３０  引き出しパネル
【図１】
0005428130.tif 000002
【図２】
0005428130.tif 000003
【図１１】
0005428130.tif 000004
【図３】
0005428130.tif 000005
【図４】
0005428130.tif 000006
【図５】
0005428130.tif 000007
【図６】
0005428130.tif 000008
【図７】
0005428130.tif 000009
【図８】
0005428130.tif 000010
【図９】
0005428130.tif 000011
【図１０】
0005428130.tif 000012